(57)【要約】【課題】枠体の縦枠部を伝って流れ落ちる油分を油回収溝に確実に導くことができる換気用フィルタを得ることにある。【解決手段】換気用フィルタは、左右の縦枠部と、縦枠部の上端の間に跨る上枠部と、縦枠部の下端の間に跨る下枠部と、を有する枠体と、縦枠部、上枠部および下枠部で囲まれた領域を覆うように枠体に固定されたフィルタ材と、枠体の下枠部に設けられ、フィルタ材の表面を伝って流れ落ちる油分を受け止める油回収溝と、を備えている。枠体は、縦枠部と下枠部とで規定される左右のコーナ部を有し、当該コーナ部の間に油回収溝が位置されている。コーナ部に、フィルタ材と接しつつ縦枠部の下端部と下枠部の端部との間を結ぶように起立する起立壁が設けられ、起立壁の上端には縦枠部から油回収溝の方向に進むに従い低くなるガイド面が形成されている。ガイド面の下枠部側の端部は、油回収溝の両端部と同じ位置、又は油回収溝の中央側に位置されている。【選択図】図４
2020003106.tif 000002
【特許請求の範囲】
【請求項１】
互いに間隔を存して起立する左右の縦枠部と、前記縦枠部の上端の間に跨る上枠部と、前記縦枠部の下端の間に跨る下枠部と、を有する枠体と、
前記縦枠部、前記上枠部および前記下枠部で囲まれた領域を覆うように前記枠体に固定され、空気中の油分を含む塵埃を捕捉するフィルタ材と、
前記枠体の前記下枠部に設けられ、前記下枠部の長手方向に延びるとともに、前記フィルタ材の表面を伝って流れ落ちる油分を受け止める油回収溝と、を具備する換気用フィルタであって、
前記枠体は、前記縦枠部と前記下枠部とで規定される左右のコーナ部を有し、当該コーナ部の間に前記油回収溝が位置するとともに、
前記コーナ部に、前記フィルタ材に接するとともに前記縦枠部の下端部と前記下枠部の端部との間を結ぶように起立する起立壁が設けられ、当該起立壁の上端には、前記縦枠部から前記油回収溝の方向に進むに従い低くなるガイド面が形成され、当該ガイド面の前記下枠部側の端部は、前記油回収溝の両端部と同じ位置、又は前記油回収溝の中央側に位置された換気用フィルタ。
【請求項２】
前記起立壁の前記ガイド面は、下向きに円弧状に湾曲された形状を有する請求項１に記載の換気用フィルタ。
【請求項３】
前記枠体の前記コーナ部は、前記縦枠部の前記下端部と前記下枠部の前記端部との間を結ぶ円弧状に湾曲された曲面をさらに備え、前記曲面は、前記フィルタ材に対し前記起立壁を間に挟んだ反対側に位置された請求項１又は請求項２に記載の換気用フィルタ。
【請求項４】
前記枠体は、羽根車を有する換気扇本体の吸気側を覆うように前記換気扇本体に取り外し可能に支持され、
前記フィルタ材は、前記換気扇本体から遠ざかる方向に張り出すような形態で前記枠体に固定された請求項１ないし請求項３のいずれか一項に記載の換気用フィルタ。
【請求項５】
前記枠体は、前記縦枠部の間を結ぶように前記縦枠部の長手方向に間隔を存して配置された複数の横桟部を有し、当該横桟部は、前記縦枠部、前記上枠部および前記下枠部で囲まれた領域において前記フィルタ材を支持するとともに、前記枠体の前記縦枠部の前記換気扇本体に支持される面の反対側の面が前記換気扇本体から遠ざかる方向に張り出す形状を有する請求項４に記載の換気用フィルタ。
【請求項６】
前記枠体は、
前記上枠部の長手方向に沿う中間部と前記下枠部の長手方向に沿う中間部との間を結ぶように起立する少なくとも一本の縦桟部と、
前記縦桟部と交差するように前記縦枠部、前記上枠部および前記下枠部で囲まれた領域に配置され、前記縦桟部の方向に進むに従い下向きに傾斜された複数の横桟部と、を有し、
前記縦桟部および前記横桟部は、前記縦枠部、前記上枠部および前記下枠部で囲まれた領域において前記フィルタ材を支持し、
前記縦桟部および前記横桟部を有する前記枠体は、羽根車を有する換気扇本体の吸気側を覆うように前記換気扇本体に取り外し可能に支持されるとともに、前記縦桟部および前記横桟部は、前記換気扇本体から遠ざかる方向に張り出すような形状を有する請求項１に記載の換気用フィルタ。
【請求項７】
前記枠体は、合成樹脂材料で構成され、前記枠体の前記縦枠部は、前記枠体の奥行き方向に延びる外周壁を有するとともに、前記縦枠部の長手方向に沿う中間部に対応する前記外周壁の少なくとも一箇所に折り曲げ予定部が設けられ、
前記折り曲げ予定部は、前記外周壁の端縁に開口された切欠きと、前記切欠きに連続して前記外周壁の内側面に形成された第１の溝と、を有し、前記第１の溝は、前記枠体の奥行き方向に延びている請求項１ないし請求項６のいずれか一項に記載の換気用フィルタ。
【請求項８】
前記枠体は、前記縦枠部の前記外周壁と向かい合う内周壁を有し、当該内周壁の内側面に前記第１の溝と向かい合う第２の溝が形成された請求項７に記載の換気用フィルタ。
【請求項９】
前記枠体は、前記縦枠部の外周壁が、前記換気扇本体から遠ざかるに従い互いに近接する方向に傾斜されるとともに、前記枠体の奥行き方向の中間部に段差が設けられた請求項７又は請求項８に記載の換気用フィルタ。
【請求項１０】
空気を吸い込む羽根車を有する換気扇本体と、
前記換気扇本体に取り外し可能に支持され、前記換気扇本体の吸気側を覆う請求項１ないし請求項９のいずれか一項に記載の換気用フィルタと、
を備えた換気扇。
【発明の詳細な説明】
【技術分野】
【０００１】
本発明の実施形態は、空気中の油分を含む塵埃を捕捉する換気用フィルタおよび当該換気用フィルタを有する換気扇に関する。
【背景技術】
【０００２】
例えば厨房で用いる一般的な換気扇は、調理時に発生した油煙が換気扇本体の内部に侵入するのを防ぐ換気用フィルタを備えている。この種の換気用フィルタは、清掃を要しない使い捨てタイプが主流であり、油煙に含まれる油分を吸い取るシート状のフィルタ材と、当該フィルタ材を取り囲んで支持する枠体と、で構成されている。
【０００３】
枠体は、互いに間隔を存して起立する左右の縦枠部と、縦枠部の上端の間に跨る上枠部と、縦枠部の下端の間に跨る下枠部と、を有し、下枠部の上面に油回収溝が形成されている。油回収溝は、左右の縦枠部の下端と下枠部の両端とで規定される左右のコーナ部の間に位置するように下枠部の長手方向に延びている。
【０００４】
従来の換気扇によると、フィルタ材の表面に付着したミスト状の油分は、運転時間の経過に伴って粒状に成長し、やがて自重によりフィルタ材の表面を伝って流れ落ちる。フィルタ材の表面を伝って流れる油分は、枠体の下枠部に達するとともに、当該下枠部が有する油回収溝に回収される。
【０００５】
さらに、ミスト状の油分は、フィルタ材ばかりでなく枠体にも付着する。枠体に付着した油分は、縦枠部を伝って流れ落ちるとともに、枠体のコーナ部から油回収溝に導かれる。
【先行技術文献】
【特許文献】
【０００６】
【特許文献１】実開昭６４−１６５３８号公報
【特許文献２】特開２０００−７０６３４号公報
【発明の概要】
【発明が解決しようとする課題】
【０００７】
従来の換気扇では、枠体の左右のコーナ部が角張った形状を有している。このため、コーナ部に油分が滞留する傾向にあり、滞留した油分がコーナ部で固まり易くなる。しかも、油回収溝は、左右のコーナ部の間に位置し、コーナ部が油回収溝から外れているので、コーナ部に達した油分が油回収溝に導かれることなく枠体の下端から枠体の外に流れ出ることがあり得る。特にコーナ部に油分の塊からなる固形物が存在すると、固形物により油分の流れが堰き止められたり、油分が不特定な方向に流れるのを否めない。
【０００８】
この結果、縦枠部を伝って流れ落ちる油分が枠体の下端から滴下し、厨房の壁や床を汚す一つの要因となる。
本発明の目的は、枠体の縦枠部を伝って流れ落ちる油分を油回収溝に確実に導くことができる換気用フィルタを得ることにある。
【課題を解決するための手段】
【０００９】
実施形態によれば、換気用フィルタは、互いに間隔を存して起立する左右の縦枠部と、前記縦枠部の上端の間に跨る上枠部と、前記縦枠部の下端の間に跨る下枠部と、を有する枠体と、前記縦枠部、前記上枠部および前記下枠部で囲まれた領域を覆うように前記枠体に固定され、空気中の油分を含む塵埃を捕捉するフィルタ材と、前記枠体の前記下枠部に設けられ、前記フィルタ材の表面を伝って流れ落ちる油分を受け止める油回収溝と、を備えている。
【００１０】
前記枠体は、前記縦枠部と前記下枠部とで規定される左右のコーナ部を有し、当該コーナ部の間に前記油回収溝が位置されている。さらに、前記コーナ部に前記フィルタ材に接するとともに前記縦枠部の下端部と前記下枠部の端部との間を結ぶように起立する起立壁が設けられ、当該起立壁の上端には、前記縦枠部から前記油回収溝の方向に進むに従い低くなるガイド面が形成されている。前記ガイド面の前記下枠部側の端部は、前記油回収溝の両端部と同じ位置、又は前記油回収溝の中央側に位置されている。
【図面の簡単な説明】
【００１１】
【図１】図１は、第１の実施形態に係る換気扇の正面図である。
【図２】図２は、第１の実施形態に係る換気扇を分解して示す斜視図である。
【図３】図３は、第１の実施形態に係る換気用フィルタを裏側から見た斜視図である。
【図４】図４は、図２のＦ４の箇所を拡大して示す斜視図である。
【図５】図５は、第１の実施形態に係る換気用フィルタを裏側から見た背面図である。
【図６】図６は、図５のＦ６−Ｆ６線に沿う断面図である。
【図７】図７は、図５のＦ７の箇所を拡大して示す背面図である。
【図８】図８は、図７のＦ８−Ｆ８線に沿う断面図である。
【図９】（Ａ）は、換気用フィルタを切欠きの位置で折り曲げた状態を示す斜視図である。（Ｂ）は、換気用フィルタを半分の大きさに折り畳んだ状態を示す斜視図である。
【図１０】図１０は、第２の実施形態に係る換気用フィルタの斜視図である。
【図１１】図１１は、図１０のＦ１１の箇所を拡大して示す斜視図である。
【図１２】図１２は、第３の実施形態に係る換気用フィルタの斜視図である。
【図１３】図１３は、第３の実施形態に係る換気用フィルタの断面図である。
【図１４】図１４は、第３の実施形態において、複数の換気用フィルタを互いに積み重ねて梱包した状態を示す断面図である。
【発明を実施するための形態】
【００１２】
［第１の実施形態］
以下、第１の実施形態について、図１ないし図９を参照して説明する。
図１は、例えば厨房で用いる一般的な換気扇１の正面図、図２は、換気扇１を分解して示す斜視図である。図１および図２に示すように、換気扇１は、換気扇本体２、モータ３、羽根車４および使い捨てタイプの換気用フィルタ５を主要な要素として備えている。
【００１３】
換気扇本体２は、厨房の壁面に取り付けられている。換気扇本体２は、厨房の壁面に開けた排気口を貫通する円筒状のベルマウス６と、ベルマウス６と一体化された四角い前面パネル７と、で構成されている。前面パネル７は、厨房の壁面から室内に露出されているとともに、ベルマウス６に連続する円形の吸気口８を有している。
【００１４】
モータ３は、換気扇本体２に支持されている。モータ３の回転軸３ａは、ベルマウス６に対し同軸状に位置されている。羽根車４は、モータ３の回転軸３ａに連結されたボス部９と、ボス部９の外周面に設けられた複数のブレード１０と、を有している。羽根車４は、吸気口８と向かい合うようにベルマウス６の内側に配置されている。
【００１５】
モータ３の起動に伴い羽根車４が回転すると、吸気口８に負圧が作用し、厨房の室内の空気が吸気口８から換気扇本体２に吸い込まれる。換気扇本体２に吸い込まれた空気は、換気扇本体２を通過して厨房の外に排出される。
換気用フィルタ５は、例えば調理時に厨房内に発生した油煙中の油分が換気扇本体２の吸気口８に吸い込まれるのを防ぐ要素であって、吸気口８を室内側から覆うように換気扇本体２の前面パネル７に取り外し可能に支持されている。油煙は、空気中の油分を含む塵埃の一例であり、油分の他に粉のような細かい粒が混入していることもあり得る。
【００１６】
図２ないし図６に示すように、換気用フィルタ５は、枠体１２と、油煙中の油分を捕捉するフィルタ材１３と、で構成されている。
枠体１２は、例えばＡＢＳ樹脂のような合成樹脂材料で構成され、前面パネル７と合致する四角い形状を有している。具体的に述べると、枠体１２は、互いに間隔を存して起立する左右の縦枠部１５ａ，１５ｂと、縦枠部１５ａ，１５ｂの上端の間に跨る水平な上枠部１６と、縦枠部１５ａ，１５ｂの下端の間に跨る水平な下枠部１７と、上枠部１６と下枠部１７との間で縦枠部１５ａ，１５ｂの間に跨る複数の横桟部１８と、を備えている。
【００１７】
図３、図５および図６に示すように、縦枠部１５ａ，１５ｂ、上枠部１６および下枠部１７は、夫々外周壁２０、内周壁２１および前面壁２２を有している。外周壁２０および内周壁２１は、枠体１２の奥行き方向に延びているとともに、僅かな間隔を存して向かい合っている。縦枠部１５ａ，１５ｂ、上枠部１６および下枠部１７の外周壁２０は、枠体１２の周方向に連続して形成されている。同様に、縦枠部１５ａ，１５ｂ、上枠部１６および下枠部１７の内周壁２１は、枠体１２の周方向に連続して形成されている。
【００１８】
前面壁２２は、厨房の室内側に位置する外周壁２０の先端縁と内周壁２１の先端縁との間に跨るとともに、枠体１２の周方向に連続して形成されている。このため、前面壁２２は、枠体１２の周方向に連続する内周壁２１の周囲を数ミリの幅で取り囲んだ状態で厨房の室内に露出されている。
【００１９】
さらに、図６に示すように、枠体１２の奥行き方向に沿う外周壁２０の長さは、枠体１２の奥行き方向に沿う内周壁２１の長さよりも長く設定されている。そのため、外周壁２０は、枠体１２の全周に亘って内周壁２１を取り囲んでいるとともに、前面壁２２とは反対側の縁部が前面パネル７の外周部に突き合わされるようになっている。
【００２０】
本実施形態によると、枠体１２の縦枠部１５ａ，１５ｂは、その前面パネル７とは反対側の先端部が厨房の室内に張り出すように円弧状に湾曲された形状を有している。そのため、枠体１２の高さ方向に沿う中央部は、枠体１２の上端部および下端部に比べて前面パネル７から遠ざかっている。
【００２１】
複数の横桟部１８は、縦枠部１５ａ，１５ｂの長手方向に互いに間隔を存して互いに平行に配置されている。横桟部１８の長手方向に沿う両端部は、縦枠部１５ａ，１５ｂの内周壁２１に一体的に突き当てられている。横桟部１８は、縦枠部１５ａ，１５ｂの湾曲形状に対応して配置され、縦枠部１５ａ，１５ｂの中央部に近い横桟部１８ほど換気扇本体２の前面パネル７から遠ざかっている。
【００２２】
前記フィルタ材１３は、例えばシート状の不織布で構成されている。不織布は、油煙中に含まれる油分を吸い取る特性を有し、その外周縁部が枠体１２の内周壁２１および横桟部１８の縁部に例えば熱溶着等の手段で固定されている。
そのため、フィルタ材１３は、枠体１２と一体構造物であるとともに、枠体１２の縦枠部１５ａ，１５ｂ、上枠部１６および下枠部１７で囲まれた領域を全面的に覆っている。
【００２３】
図２および図４に示すように、縦枠部１５ａ，１５ｂの内周壁２１の下端部および下枠部１７の内周壁２１の長手方向に沿う両端部は、枠体１２の下端で交差するとともに、互いに協働して左右のコーナ部２４ａ，２４ｂを規定している。コーナ部２４ａ，２４ｂは、フィルタ材１３よりも厨房の室内の側に位置している。
【００２４】
枠体１２の下枠部１７は、油回収溝２５を備えている。油回収溝２５は、枠体１２のコーナ部２４ａ，２４ｂの間で下枠部１７の長手方向に延びている。さらに、油回収溝２５は、フィルタ材１３の下端部の直前において、下枠部１７の上面を規定する下枠部１７の内周壁２１に開口されている。内周壁２１は、フィルタ材１３から油回収溝２５の方向に進むに従い下向きに傾斜されている。
【００２５】
本実施形態によると、油回収溝２５の長手方向に沿う両端部に夫々延長部２５ａが形成されている。図４に一方の延長部２５ａを代表して示すように、延長部２５ａは、油回収溝２５の主要部よりも幅が狭く形成されたスリット状の要素であって、コーナ部２４ａに向けて延びている。
【００２６】
図１、図２および図４に示すように、枠体１２のコーナ部２４ａ，２４ｂに夫々起立壁２７が設けられている。起立壁２７は、縦枠部１５ａ，１５ｂの内周壁２１の下端部と下枠部１７の内周壁２１の長手方向に沿う両端部との間を結ぶように起立するリブ状の要素であって、当該起立壁２７の直前に油回収溝２５の延長部２５ａが位置されている。起立壁２７における油回収溝２５の延長部２５ａとは反対側の面は、フィルタ材１３に接している。
【００２７】
起立壁２７の上端縁にガイド面２８が形成されている。ガイド面２８の下枠部１７の側の端部２８ａは、油回収溝２５の両端部の位置と同じか、あるいは油回収溝２５の中央側に位置されている。さらに、ガイド面２８は、縦枠部１５ａ，１５ｂの内周壁２１から油回収溝２５の方向に進むに従い低くなるように円弧状に湾曲された形状を有している。
【００２８】
図１および図４に示すように、枠体１２のコーナ部２４ａ，２４ｂに夫々曲面２９が形成されている。曲面２９は、縦枠部１５ａ，１５ｂの内周壁２１の下端部と下枠部１７の内周壁２１の長手方向に沿う両端部との間を結ぶとともに、縦枠部１５ａ，１５ｂから下枠部１７の方向に進むに従い低くなるように円弧状に湾曲されている。
【００２９】
さらに、曲面２９は、フィルタ材１３に対し起立壁２７を間に挟んだ反対側に位置されている。このため、下枠部１７に形成された油回収溝２５は、各コーナ部２４ａ，２４ｂが有する曲面２９の間に位置され、曲面２９のうち下枠部１７に連続する下端が油回収溝２５の長手方向に沿う両端部に臨んでいる。油回収溝２５の延長部２５ａは、起立壁２７と曲面２９との間に介在されている。
【００３０】
図２および図３に示すように、一対の係合孔３１ａ，３１ｂが枠体１２の上枠部１６に形成されている。係合孔３１ａ，３１ｂは、上枠部１６の長手方向に間隔を存して並んでいる。一対の係止片３２ａ，３２ｂが枠体１２の下枠部１７に形成されている。係止片３２ａ，３２ｂは、下枠部１７の長手方向に間隔を存して並んでいるとともに、下枠部１７の裏側に向けて突出されている。
【００３１】
本実施形態によると、換気用フィルタ５は、上枠部１６の係合孔３１ａ，３１ｂに前面パネル７の上縁から突出された一対の係止爪３３ａ，３３ｂを引っ掛けるとともに、下枠部１７の係止片３２ａ，３２ｂを前面パネル７の下縁に開口された嵌合孔３４ａ，３４ｂに嵌め込むことで、前面パネル７に取り外し可能に支持されている。
【００３２】
換気用フィルタ５を前面パネル７に取り付けた状態では、フィルタ材１３が換気扇本体２の吸気口８と向かい合っている。さらに、枠体１２の縦枠部１５ａ，１５ｂは、その前面パネル７とは反対側の先端部が厨房の室内に張り出すように円弧状に湾曲されているので、枠体１２に熱溶着されたフィルタ材１３にしても、その中央部分が吸気口８から遠ざかっている。
【００３３】
このため、フィルタ材１３の中央部分は、フィルタ材１３の外周縁部に比べて吸気口８から離れており、当該フィルタ材１３の中央部分と吸気口８との間に十分な吸気用スペースが確保されている。
したがって、羽根車４が回転すると、羽根車４は吸気用スペースから空気を吸い込むことになり、換気用フィルタ５で吸気口８を覆ったにも拘らず、通気抵抗を小さく抑えることができる。それとともに、フィルタ材１３の中央部分が羽根車４から遠ざかるので、フィルタ材１３が回転する羽根車４に巻き込まれ難くなる。
【００３４】
さらに、縦枠部１５ａ，１５ｂを湾曲させたことで、フィルタ材１３の表面積を拡張することができ、換気扇１に作用する圧力損失を低減することができる。
一方、本実施形態の換気用フィルタ５では、枠体１２の縦枠部１５ａ，１５ｂの長手方向に沿う中間部の一箇所に夫々折り曲げ予定部３６が設けられている。図７および図８は、一方の縦枠部１５ａに設けられた折り曲げ予定部３６を示している。折り曲げ予定部３６は、微細な切欠き３７と、第１ないし第３の溝３８ａ，３８ｂ，３８ｃと、で規定されている。
【００３５】
切欠き３７は、枠体１２の折り曲げ位置を示す目印となる要素であって、前面パネル７に突き合わされる縦枠部１５ａ，１５ｂの外周壁２０の端縁に開口されている。切欠き３７は、好ましい例としてＶ形の開口形状を有している。
第１の溝３８ａは、切欠き３７に連続して外周壁２０の内側面に形成されており、枠体１２の奥行き方向に真っ直ぐに延びている。
【００３６】
第２の溝３８ｂは、縦枠部１５ａ，１５ｂの内周壁２１の内側面に形成されている。第２の溝３８ｂは、枠体１２の奥行き方向に真っ直ぐに延びているとともに、第１の溝３８ａと向かい合っている。
第３の溝３８ｃは、縦枠部１５ａ，１５ｂの前面壁２２の内面に形成されている。第３の溝３８ｃは、第１の溝３８ａの一端と第２の溝３８ｂの一端との間を結ぶように枠体１２の幅方向に真っ直ぐに延びている。
【００３７】
第１の溝３８ａ、第２の溝３８ｂおよび第３の溝３８ｃは、好ましい例として図７および図８に示すようなＶ形の断面形状を有している。
このような構成の換気扇１において、モータ３の起動に伴い羽根車４が回転すると、例えば調理時に厨房に発生した油煙が換気用フィルタ５のフィルタ材１３を通じて換気扇本体２の吸気口８に吸い込まれる。油煙中に含まれるミスト状の油分は、フィルタ材１３に吸い取られるとともに、当該フィルタ材１３の表面に付着する。フィルタ材１３の表面に付着した油分は、換気扇１の運転時間の経過に伴って粒状に成長し、やがて自重によりフィルタ材１３の表面を伝って流れ落ちる。
【００３８】
フィルタ材１３の表面を伝って流れる油分は、横桟部１８を乗り越えて枠体１２の下枠部１７に達するとともに、下枠部１７の内周壁２１の傾斜に伴って油回収溝２５に向けて流れる。そのため、フィルタ材１３の表面を伝って流れ落ちる油分の大部分は、油回収溝２５によって受け止められ、換気扇１の外に垂れることなく油回収溝２５に回収される。
【００３９】
一方、油煙中に含まれる油分は、フィルタ材１３を取り囲む枠体１２にも付着する。枠体１２に付着した油分の一部は、縦枠部１５ａ，１５ｂを伝って流れ落ち、左右のコーナ部２４ａ，２４ｂに達する。
特に枠体１２の内周壁２１は、油分を吸い取るフィルタ材１３と隣り合っているので、当該内周壁２１に油煙中に含まれる油分が付着し易くなる。縦枠部１５ａ，１５ｂの内周壁２１に付着した油分は、自重によりコーナ部２４ａ，２４ｂに向けて流れ落ちる。
【００４０】
本実施形態では、各コーナ部２４ａ，２４ｂに縦枠部１５ａ，１５ｂの内周壁２１と下枠部１７の内周壁２１との間を結ぶように起立するリブ状の起立壁２７が形成され、当該起立壁２７の上端に、縦枠部１５ａ，１５ｂの内周壁２１から油回収溝２５の方向に進むに従い低くなるように湾曲された円弧状のガイド面２８が形成されている。
【００４１】
このため、縦枠部１５ａ，１５ｂの内周壁２１を伝って流れ落ちる油分の一部は、ガイド面２８を伝って油回収溝２５の方向に導かれる。ガイド面２８の下枠部１７の側の端部２８ａは、油回収溝２５の両端部の位置と同じか、あるいは油回収溝２５の中央側に近い位置に形成されるため、ガイド面２８を伝う油分が油回収溝２５に導かれ易くなる。
【００４２】
しかも、各コーナ部２４ａ，２４ｂには、起立壁２７の前方に位置する曲面２９が形成されているので、コーナ部２４ａ，２４ｂに達した油分が例えば起立壁２７を超えて下枠部１７の前面壁２２の方向に流出したとしても、当該油分を曲面２９で受け止めることができる。
【００４３】
それとともに、曲面２９は、縦枠部１５ａ，１５ｂの内周壁２１から油回収溝２５の方向に進むに従い低くなるように円弧状に湾曲されているので、曲面２９で受け止められた油分は、曲面２９を伝って油回収溝２５の方向に導かれる。
本実施形態では、油回収溝２５の延長部２５ａが曲面２９と起立壁２７との間に入り込んでいるので、起立壁２７を超えた油分を延長部２５ａで直接受けることができる。
【００４４】
さらに、起立壁２７は、油回収溝２５の延長部２５ａとは反対側の面がフィルタ材１３に接している。このため、縦枠部１５ａ，１５ｂに沿って流れ落ちる油分のみに限らず、フィルタ材１３の左右両端部に沿って流れ落ちる油分もガイド面２８を伝って油回収溝２５の方向に導くことができる。
【００４５】
加えて、縦枠部１５ａ，１５ｂの内周壁２１を伝う油分が起立壁２７の前方を通って流れ落ちたとしても、当該油分を曲面２９で受け止めて、そのまま油回収溝２５に導くことができる。
したがって、枠体１２の下端に位置する左右のコーナ部２４ａ，２４ｂに起立壁２７および曲面２９を付加したことで、縦枠部１５ａ，１５ｂを伝って流れ落ちる油分を積極的に油回収溝２５の方向に導くことができ、コーナ部２４ａ，２４ｂに油分が滞留し難くなる。
【００４６】
よって、枠体１２の下端から油分が滴下するのを回避でき、厨房の壁や床の汚損を防止することができる。
一方、換気用フィルタ５の汚損が進み、換気用フィルタ５が交換時期に達した場合には、汚れた換気用フィルタ５を新たな換気用フィルタ５と交換する。汚れた換気用フィルタ５を廃棄する際に、換気用フィルタ５の外郭となる枠体１２が四角い形状を維持していると、枠体１２が嵩張ることがあり得る。
【００４７】
本実施形態の換気用フィルタ５では、縦枠部１５ａ，１５ｂの長手方向に沿う中間部の一箇所に夫々折り曲げ予定部３６が設けられ、折り曲げ予定部３６は、縦枠部１５ａ，１５ｂの外周壁２０の端縁に開口されたＶ形の切欠き３７を有している。
このため、切欠き３７を目印として上枠部１６および下枠部１７が近づく方向に縦枠部１５ａ，１５ｂを強制的に折り曲げれば、図９（Ａ）に示すように、縦枠部１５ａ，１５ｂが切欠き３７の位置を始点として破断する。
【００４８】
特に本実施形態では、縦枠部１５ａ，１５ｂの外周壁２０に切欠き３７に連続する第１の溝３８ａが形成され、縦枠部１５ａ，１５ｂの内周壁２１に第１の溝３８ａと向かい合う第２の溝３８ｂが形成されている。そのため、縦枠部１５ａ，１５ｂを折り曲げると、縦枠部１５ａ，１５ｂの外周壁２０および内周壁２１が第１の溝３８ａおよび第２の溝３８ｂに沿って破断する。この結果、縦枠部１５ａ，１５ｂを少ない力で容易に折り曲げことができるとともに、縦枠部１５ａ，１５ｂの破断方向が定まる。
【００４９】
さらに、縦枠部１５ａ，１５ｂの前面壁２２の内面には、第１の溝３８ａと第２の溝３８ｂとの間に跨る第３の溝３８ｃが形成されているので、第３の溝３８ｃを折り曲げ用の支点として枠体１２の外枠部１５ａ，１５ｂを略１８０°折り返すことができる。
【００５０】
この結果、図９（Ｂ）に示すように、枠体１２を略半分の大きさに容易に折り畳むことができる。よって、換気用フィルタ５を廃棄する際に枠体１２が嵩張ることもなく、換気用フィルタ５を廃棄する際の取り扱いが良好となる。
第１の実施形態では、起立壁２７のガイド面２８および曲面２９が夫々円弧状に湾曲されている。しかしながら、ガイド面２８および曲面２９は、油回収溝２５に向けて低くなるように直線状に傾斜させてもよく、ガイド面２８および曲面２９の形状に特に制約はない。
【００５１】
さらに、縦枠部１５ａ，１５ｂの長手方向に沿う複数の個所に折り曲げ予定部３６を設けてもよい。この構成によれば、枠体１２をよりコンパクトな形状に折り畳むことができ、汚れた換気用フィルタ５を廃棄する際の取り扱いが容易となる。
［第２の実施形態］
図１０および図１１は、第２の実施形態を開示している。第２の実施形態は、換気用フィルタ５の枠体１２に関する事項が第１の実施形態と相違しており、それ以外の構成は第１の実施形態と同様である。そのため、第２の実施形態において、第１の実施形態と同一の構成部分には同一の参照符号を付して、その説明を省略する。
【００５２】
図１０に示すように、枠体１２の左右の縦枠部１５ａ，１５ｂは、その高さ方向に沿う中間部が前記第１の実施形態の枠体１２のように湾曲されておらず、縦枠部１５ａ，１５ｂが全体的に真っ直ぐな形状を有している。
さらに、枠体１２は、一本の縦桟部４１と、第１ないし第４の横桟部４２ａ，４２ｂ，４２ｃ，４２ｄと、を備えている。縦桟部４１は、上枠部１６の長手方向に沿う中央部と下枠部１７の長手方向に沿う中央部との間を結ぶように起立するとともに、上枠部１６と下枠部１７との間の中央部が厨房の室内に張り出すように円弧状に湾曲されている。図１０に示す破線は、上枠部１６の中央部と下枠部１７の中央部との間を真っ直ぐに結ぶ線である。この線に対して、縦桟部４１は、その中央部が最大Ｒで厨房の室内に張り出している。
【００５３】
第１ないし第４の横桟部４２ａ，４２ｂ，４２ｃ，４２ｄは、縦枠部１５ａ，１５ｂ、上枠部１６および下枠部１７で囲まれた領域に配置されている。具体的に述べると、第１の横桟部４２ａは、上枠部１６の両端部から縦枠部１５ａ，１５ｂの間に進出するように下向きに略Ｖ字状に張り出している。第１の横桟部４２ａの下端部は、縦桟部４１の上部と交差されている。
【００５４】
第２ないし第４の横桟部４２ｂ，４２ｃ，４２ｄは、第１の横桟部４２ａの下方で左右の縦枠部１５ａ，１５ｂの内周壁２１の間に架け渡されている。第２ないし第４の横桟部４２ｂ，４２ｃ，４２ｄは、縦枠部１５ａ，１５ｂの長手方向に間隔を存して並んでいるとともに、縦枠部１５ａ，１５ｂの間で下向きに張り出すように円弧状に湾曲されている。第２ないし第４の横桟部４２ｂ，４２ｃ，４２ｄの曲率は、第２の横桟部４２ｂから第４の横桟部４２ｄに進むに従い次第に小さくなっている。さらに、第２ないし第４の横桟部４２ｂ，４２ｃ，４２ｄの長手方向に沿う中間部は、夫々縦桟部４１と交差されている。
【００５５】
この結果、第１ないし第４の横桟部４２ａ，４２ｂ，４２ｃ，４２ｄは、縦枠部１５ａ，１５ｂの間で縦桟部４１に向けて下向きに傾斜されている。
本実施形態によると、第１ないし第４の横桟部４２ａ，４２ｂ，４２ｃ，４２ｄは、縦桟部４１の方向に進むに従い厨房の室内に張り出すように円弧状に湾曲されている。したがって、枠体１２は、縦枠部１５ａ，１５ｂ、上枠部１６および下枠部１７で囲まれた領域の中央部分が厨房の室内に向けて張り出すような形状を有している。
【００５６】
縦桟部４１および第１ないし第４の横桟部４２ａ，４２ｂ，４２ｃ，４２ｄは、縦枠部１５ａ，１５ｂ、上枠部１６および下枠部１７で囲まれた領域でフィルタ材１３を支えている。
この結果、換気用フィルタ５を前面パネル７に取り付けた状態では、フィルタ材１３の中央部分が厨房の室内に向けて張り出すとともに、前面パネル７の吸気口８から遠ざかっている。
【００５７】
第２の実施形態によると、油煙中に含まれる油分の一部は、換気用フィルタ５に捕捉される過程で第１ないし第４の横桟部４２ａ，４２ｂ，４２ｃ，４２ｄに付着する。第１ないし第４の横桟部４２ａ，４２ｂ，４２ｃ，４２ｄに付着した油分は、下向きに傾斜された第１ないし第４の横桟部４２ａ，４２ｂ，４２ｃ，４２ｄを伝って縦桟部４１の方向に流れる。
【００５８】
さらに、縦枠部１５ａ，１５ｂの内周壁２１を伝って流れ落ちる油分の一部は、第２ないし第４の横桟部４２ｂ，４２ｃ，４２ｄで受け止められるとともに、下向きに傾斜された第２ないし第４の横桟部４２ｂ，４２ｃ，４２ｄを伝って縦桟部４１の方向に流れる。
【００５９】
したがって、枠体１２に付着した油分の多くを縦桟部４１に集めることができる。縦桟部４１に集められた油分は、縦桟部４１を伝って流れ落ちるとともに、下枠部１７の上面から油回収溝２５の中央部に流れ込む。
この結果、枠体１２のコーナ部２４ａ，２４ｂに起立壁２７および曲面２９を設けたことと相まって、枠体１２に付着した油分を油回収溝２５で効率よく回収することができる。
【００６０】
加えて、第２の実施形態では、縦桟部４１および第１ないし第４の横桟部４２ａ，４２ｂ，４２ｃ，４２ｄが厨房の室内に張り出すように湾曲されているので、縦桟部４１および第１ないし第４の横桟部４２ａ，４２ｂ，４２ｃ，４２ｄで支えられたフィルタ材１３にしても、その中央部分が吸気口８から遠ざかっている。
【００６１】
このため、フィルタ材１３の中央部分と吸気口８との間に十分な吸気用スペースを確保することができ、羽根車４は吸気用スペースから空気を吸い込むことになる。よって、前記第１の実施形態と同様に、通気抵抗を小さく抑えることができるとともに、フィルタ材１３の表面積を拡張して、換気扇１に作用する圧力損失を低減することができる。
【００６２】
第２の実施形態では、枠体１２の縦桟部４１を一本としたが、複数本の縦桟部４１を互いに間隔を存して配列してもよく、縦桟部４１の数に特に制約はない。
加えて、第２の実施形態では、枠体１２の横桟部４２ａ，４２ｂ，４２ｃ，４２ｄを円弧状に湾曲された形状としたが、縦桟部４１の方向に直線状に傾斜させてもよい。
［第３の実施形態］
図１２ないし図１４は、第３の実施形態を開示している。第３の実施形態は、換気用フィルタ５の枠体１２の構成が第１の実施形態と相違しており、それ以外の構成は、第１の実施形態と同様である。そのため、第３の実施形態において、第１の実施形態と同一の構成部分には同一の参照符号を付して、その説明を省略する。
【００６３】
図１２および図１３に示すように、換気用フィルタ５の枠体１２は、枠本体５１とフィルタ支持部５２とで構成されている。枠本体５１は、換気扇本体２の前面パネル７に突き合わされる要素であって、縦枠部１５ａ，１５ｂ、上枠部１６および下枠部１７の外周壁２０の一部を規定する四角い形状を有している。
【００６４】
フィルタ支持部５２は、枠本体５１の前面側に連続して形成されている。フィルタ支持部５２は、縦枠部１５ａ，１５ｂ、上枠部１６および下枠部１７の外周壁２０の残りの部分、内周壁２１および前面壁２２を規定する四角い形状を有している。図１３に示すように、縦枠部１５ａ，１５ｂの外周壁２０は、前面壁２２の方向に進むに従い互いに近接する方向に傾斜されている。そのため、枠体１２の縦枠部１５ａ，１５ｂは、その枠本体５１の箇所がフィルタ支持部５２の周囲に張り出している。
【００６５】
図１２および図１３に示すように、枠本体５１とフィルタ支持部５２とで規定される縦枠部１５ａ，１５ｂの外周壁２０は、枠本体５１とフィルタ支持部５２との境界に段差Ｓを有している。段差Ｓは、枠本体５１とフィルタ支持部５２との大きさの相違により生じた要素である。段差Ｓは、枠体１２の奥行き方向に沿う中間部に位置されている。
【００６６】
なお、段差Ｓは、枠体１２の周方向に連続して形成するようにしてもよい。
図１４は、複数の換気用フィルタ５を梱包箱５３に収容した形態を示している。図１４に示すように、複数の換気用フィルタ５の枠体１２は、奥行き方向に互いに積み重ねられており、下段に位置する枠体１２の段差Ｓの上に上段に位置する枠体１２の端縁が引っ掛かっている。
【００６７】
そのため、複数の換気用フィルタ５を梱包箱５３に収容した状態では、下段に位置する枠体１２のフィルタ支持部５２が上段に位置する枠体１２の枠本体５１の内側に入り込んでいる。さらに、上段に位置する枠体１２の端縁が下段に位置する枠体１２の段差Ｓに引っ掛かることで、下段に位置する換気用フィルタ５の前面壁２２と、上段に位置する換気用フィルタ５のフィルタ材１３との間に所定の隙間ｇが確保されている。
【００６８】
したがって、複数の換気用フィルタ５を奥行き方向に積層した状態においても、下段に位置する換気用フィルタ５の前面壁２２と上段に位置する換気用フィルタ５のフィルタ材１３とは、互いに干渉し合うことがないように離れている。
さらに、第３の実施形態では、縦枠部１５ａ，１５ｂの二箇所に前記第１の実施形態と同様の折り曲げ予定部３６が形成されている。折り曲げ予定部３６は、縦枠部１５ａ，１５ｂの長手方向に互いに離れている。
【００６９】
第３の実施形態によると、複数の換気用フィルタ５を梱包箱５３の内部に収容した状態では、上段の換気用フィルタ５に枠体１２の端縁が下段の換気用フィルタ５の枠体１２の段差Ｓに突き当たり、下段の枠体１２のフィルタ支持部５２が上段の枠体１２の枠本体５１で取り囲まれている。言い換えると、下段の枠体１２が上段の枠体１２の内側に入り込むように複数の換気用フィルタ５が梱包箱５３の内部で積み重ねられている。
このため、複数の換気用フィルタ５の積層高さを低く抑えて、複数の換気用フィルタ５を積み重ねた時の梱包体積を減らすことができる。よって、梱包箱５３が必要する梱包容積を少なくすることができ、その分、梱包箱５３のコンパクト化が可能となる。
【００７０】
しかも、複数の換気用フィルタ５を積み重ねた状態においても、下段に位置する換気用フィルタ５の前面壁２２と、上段に位置する換気用フィルタ５のフィルタ材１３とが干渉し合うこともなく、フィルタ材１３の損傷を回避することができる。
さらに、第３の実施形態では、縦枠部１５ａ，１５ｂの長手方向に離れた二箇所に折り曲げ予定部３６が形成されているので、汚損が進んだ換気用フィルタ５を廃棄する際に、図１２に矢印で示すように、上枠部１６および下枠部１７が互いに近づくように枠体１２を三つに折り畳むことができる。したがって、枠体１２が半分以下の大きさに移行し、換気用フィルタ５を破棄する際の取り扱いが容易となる。
【００７１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７２】
１…換気扇、２…換気扇本体、４…羽根車、５…換気用フィルタ、１２…枠体、１３…フィルタ材、１５ａ，１５ｂ…縦枠部、１６…上枠部、１７…下枠部、２４ａ，２４ｂ…コーナ部、２５…油回収溝、２７…起立壁、２８…ガイド面、２８ａ…端部。
【図１】
2020003106.tif 000003
【図２】
2020003106.tif 000004
【図３】
2020003106.tif 000005
【図４】
2020003106.tif 000006
【図５】
2020003106.tif 000007
【図６】
2020003106.tif 000008
【図７】
2020003106.tif 000009
【図８】
2020003106.tif 000010
【図９】
2020003106.tif 000011
【図１０】
2020003106.tif 000012
【図１１】
2020003106.tif 000013
【図１２】
2020003106.tif 000014
【図１３】
2020003106.tif 000015
【図１４】
2020003106.tif 000016